(57)【要約】【課題】履物の床面の曲面、鼻緒の下側の曲面形状を考慮し、かつ鼻緒が横方向に移動して形が崩れるのに対しても配慮し、さらに、履物の床面と鼻緒との間に差込む作業がスムーズにできるようにした鼻緒の保形体を提供する。【解決手段】履物２０の床面２１と鼻緒２２との間に嵌め込んで、すげられた鼻緒２２の形を維持する保形体１０において、全体がインフレーションにより成形され、鼻緒２２が接する上面１８を、すげられた鼻緒２２の下面の曲線に合わせた曲面Ｃとし、履物２０の床面２１が接する下面を、履物２０の床面２１の曲面に合わせた曲面Ａ，Ｂとし、前端中央には前鼻緒２３が嵌まる窪み１３が形成され、保形体１０の前寄り部分の両側１５と中央三角部分１２を隆起させて鼻緒２２が納まる溝１１を形成し、上記窪み１３を前鼻緒２３に宛がい、この位置を軸にして保形体１０を回すとき、鼻緒２２のすげ口２４に差し障りのない曲線Ｒを設けてなる構成を採用したものである。【選択図】　図１
2004057214.tif 000002
【特許請求の範囲】
【請求項１】
履物２０の床面２１と鼻緒２２との間に嵌め込んで、すげられた鼻緒２２の形を維持する保形体１０において、全体がインフレーションにより成形され、鼻緒２２が接する上面１８を、すげられた鼻緒２２の下面の曲線に合わせた曲面Ｃとし、履物２０の床面２１が接する下面１６を、履物２０の床面２１の曲面に合わせた曲面Ａ，Ｂとし、前端１４の中央には前鼻緒２３が嵌まる窪み１３が形成され、保形体１０の前寄り部分の両側１５と中央三角部分１２を隆起させて鼻緒２２が納まる溝１１を形成したことを特徴とする鼻緒の保形体。
【請求項２】
上記鼻緒の保形体において、上記窪み１３を前鼻緒２３に宛がい、この位置を軸にして保形体１０を回すとき、鼻緒２２のすげ口２４に差し障りを起こさない曲線Ｒを形成したことを特徴とする請求項１に記載の鼻緒の保形体。
【発明の詳細な説明】
【０００１】
【発明の属する技術分野】
この発明は履物の鼻緒が梱包、輸送、保管中にその形が崩れないようにするための保形体に関する。
【０００２】
【従来の技術】
履物の鼻緒の保形体として、実開平４−１５４０６号で「草履の花（鼻）緒に装着され該花緒を保持する立体物であって、前記花緒が草履に取り付けられる三箇所に対応して、前記立体物に三箇所の窪み部を形成したことを特徴とする花緒保形具」と、特開平７−５１１０４号で「弾力性のあるシートを筒状形に組み立て、組み立てられた筒状シートを押し潰して履物の側方部から鼻緒の下へ嵌め込み、常に鼻緒の下に一定の空間を保つようにした鼻緒変形防止シート」が提案されている。
【０００３】
【発明が解決しようとする課題】
上記提案において、前者は三箇所の窪みで鼻緒と履物の間に差し込んだ保形具が安定するようにしたものであるが、履物の床面の曲面および鼻緒の下面の曲面形状には何ら配慮がされておらず、また鼻緒が左右に動いて形が崩れることに対する配慮もない。
【０００４】
また後者は、ただ単に履物の床面と鼻緒との間に弾性シートを筒状にして装入するだけて履物の床面の曲面、鼻緒の下側の曲面形状への考慮は全くなく、勿論鼻緒の横方向の移動による形の崩れに対する配慮がない。
【０００５】
この発明は上記従来技術の問題に鑑み、履物の床面の曲面、鼻緒の下側の曲面形状を考慮し、かつ鼻緒が横方向に移動して形が崩れるのに対しても配慮し、さらに、履物の床面と鼻緒との間に差込む作業がスムーズにできるようにした鼻緒の保形体を提供することを課題とする。
【０００６】
【課題を解決するための手段】
上記課題を解決するためにこの発明は、履物の床面と鼻緒との間に嵌め込んで、すげられた鼻緒の形を維持する保形体において、全体がインフレーションにより成形され、鼻緒が接する上面を、すげられた鼻緒の下面の曲線に合わせた曲面Ｃとし、履物の床面が接する下面を、履物の床面の曲面に合わせた曲面Ａ，Ｂとし、前端中央には前鼻緒が嵌まる窪みが形成され、保形体の前寄り部分の両側と中央三角部分を隆起させて鼻緒が納まる溝を形成したもの（請求項１）であり、必要ならば、上記窪みを前鼻緒に宛がい、この位置を軸にして保形体を回すとき、鼻緒のすげ口に差し障りを起こさない曲線Ｒを形成してなる構成を採用したもの（請求項２）である。
【０００７】
上記の如く構成するこの発明によれば、鼻緒の保形体の全体外面が、履物の床面の曲面と鼻緒の下側の曲面に合わせて成形され、鼻緒の納まる溝が形成されているので、床面と鼻緒との間に差し込まれたとき確実に安定し鼻緒の形が崩れないように保護される。
【０００８】
また、保形体を履物の床面と鼻緒との間に差込むとき、保形体の後部に鼻緒のすげ口に差し障りのない曲線Ｒを設けているので装入が極めてスムーズに行うことができる。
【０００９】
【発明の実施の形態】
次にこの発明の実施形態を図面を参照しながら説明する。鼻緒の保形体１０は、ポリエチレンのように廃棄処分をするときに有害ガスを発生しない素材でもってインフレーション（エアー注入口１７）により成形され、鼻緒２２と接する上面１８を、すげられた鼻緒２２の下面の曲線に合わせた曲面Ｃとし、履物２０の床面２１と接する下面１６を、履物２０の床面２１の曲面に合わせた曲面Ａ，Ｂとし、前端１４の中央には前鼻緒２３が嵌まる窪み１３が形成され、保形体１０の前寄り部分の両側１５と中央三角部分１２を隆起させ、その間に鼻緒２２が納まる溝１１を形成し、図２に示すように上記窪み１３を前鼻緒２３に宛がい（二点鎖線の状態）、宛がった位置を軸にして保形体１０を矢印の方向に回すと、保形体の後端が鼻緒２２のすげ口２４に差し障りを起こさない曲線Ｒを設けてなるものである。
【００１０】
上記鼻緒の保形体１０を履物２０の床面２１と鼻緒２２との間に嵌め込むときは、保形体１０の窪み１３を図２に示すように履物２０の側方から前鼻緒２３に宛がい、宛がった位置を軸にして回しながら嵌め込むと保形体１０の後部曲線Ｒにより鼻緒２２のすげ口２４に差し障りなくスムーズに嵌め込むことができる。
【００１１】
【発明の効果】
以上説明したようにこの発明によれば、保形体の上面を、すげられた鼻緒の下側の曲線に合わせた曲面とし、保形体の下面を、履物の床面の曲面に合わせた曲面としており、保形体１０の前寄り部分の両側１５と中央三角部分１２を隆起させ、その間に鼻緒２２が納まる溝１１を形成しているので、鼻緒が押さえつけられたり、横方向にずれて形が崩れることがなく、また、保形体１０の後端に曲線Ｒを設けているので履物２０の床面２１と鼻緒２２との間に嵌め込むときスムーズに嵌め込むことができる。
【図面の簡単な説明】
【図１】（ａ）この発明に係る鼻緒の保形体を履物に装着した状態の斜視図
（ｂ）同保形体の斜視図
【図２】
鼻緒の保形体を履物へ装着する説明図
【図３】鼻緒の保形体の平面図
【図４】同底面図
【図５】同正面図
【図６】同左側面図
【図７】同断面図
【符号の説明】
１０　保形体
１１　溝
１２　中央三角部分
１３　窪み
１４　前端
１５　両側
１６　下面
１７　エアー注入孔
１８　上面
２０　履物
２１　床面
２２　鼻緒
２３　前鼻緒
２４　すげ口
Ａ，Ｂ，Ｃ　曲面
Ｒ　曲線
【図１】
2004057214.tif 000003
【図２】
2004057214.tif 000004
【図３】
2004057214.tif 000005
【図４】
2004057214.tif 000006
【図５】
2004057214.tif 000007
【図６】
2004057214.tif 000008
【図７】
2004057214.tif 000009